(57)【要約】【課題】ケーシング本体２と蓋体とを合わせ、この合わせ部である溝２１内に発熱線６１・６２をセットして、発熱線６１・６２に通電することによりケーシング本体２と蓋体とを溶融して相互に接合する場合、発熱線６１・６２に通電するための電極を挿入する貫通穴７を設ける必要があるが、溶接後も貫通穴７が残るので気密性が保持しにくい。【解決手段】溝２１に迂回部２３を設け、その迂回部の外側に貫通穴７を設けることにより、この迂回部２３で貫通穴７とケーシング内部とを隔絶するようにした。【選択図】　図３
2004031751.tif 000002
【特許請求の範囲】
【請求項１】
熱可塑性の樹脂からなるケーシング本体の周縁部に形成した環状の溝のほぼ対称となる２カ所に、電極が挿入される貫通穴を形成すると共に、両端部が各々この貫通穴に重なる１対の発熱線を溝内に配設し、熱可塑性の樹脂からなる蓋部材に形成した環状の凸部を上記ケーシング本体の溝内に嵌入させた状態で貫通穴に電極を挿入し、発熱線に通電して溝の底部と凸部の端部とを溶着させるケーシングの防水構造において、上記溝に貫通穴をケーシング本体の内側に迂回する迂回部と、この迂回部から貫通穴に連通する連通部とを形成し、発熱線を迂回部から連通部を通って貫通穴に到達するように配設したことを特徴とするケーシングの防水構造。
【請求項２】
上記迂回部の一方の端部に連通部を設けたことを特徴とする請求項１記載のケーシングの防水構造。
【請求項３】
上記貫通穴に隣接して、ケーシングを壁に取り付けるための取り付け穴を形成すると共に、上記迂回部は貫通穴と共に取り付け穴を迂回することを特徴とする請求項１または請求項２記載のケーシングの防水構造。
【請求項４】
上記ケーシングは浴室の壁面に取り付けられる浴室テレビのケーシングであることを特徴とする請求項１から請求項３のいずれかに記載のケーシングの防水構造。
【発明の詳細な説明】
【０００１】
【発明の属する技術分野】
本発明は、例えば浴室テレビのケーシング内に水や湿気が侵入しないようにする防水構造に関する。
【０００２】
【従来の技術】
例えば浴室の壁面に取り付けられる浴室テレビでは、長時間にわたり直接湯水がかかり、あるいは高湿度の雰囲気にさらされる。浴室テレビの内部には電子部品が多く収納されており、これら電子部品は湯水はおろか湿気に対して弱く、仮に浴室テレビのケーシング内に湯水や湿気が侵入すると、浴室テレビの寿命が著しく短くなる。
【０００３】
ケーシング内部に電子部品を収納させるため、ケーシングを一体に成形することができず、そのためケーシング本体と、このケーシング本体に電子部品を収納した後、ケーシング内部を水密に密閉する蓋とが設けられている。この蓋をケーシング本体に取り付ける方法としては、例えば、ケーシング本体と蓋との間にパッキンを挟んだ状態で蓋をケーシング本体にねじ止めすることが考えられる。
【０００４】
ところが、このようにねじ止めする手法では、パッキンのコストが必要となるばかりかねじ止めに多くの工数を要し、浴室テレビの製造コストが高くなる。
【０００５】
また、ケーシング本体に電子部品を収納した後、蓋をケーシング本体に接着剤により接着するという手法が考えられる。この接着剤により接着する手法では、パッキンを必要とせず、またねじ止めの工数が不要であるが、接着剤が十分に硬化し、所定の接着強度が得られるまで約１日間、ケーシングを保管しなければならない。そのため、保管スペースを必要とし、やはり浴室テレビの製造コストが高くなる。
【０００６】
このような不具合を解消する手法として、特許３０５３７８６号や特許２９３７３１１号がある。両特許は共に、ほぼ同一形状の１対の発熱線をケーシング本体と蓋との間に環状を形成するように配設し、両発熱線に通電してケーシング本体及び蓋の互いの接触部分を溶融し、蓋をケーシング本体に溶着させるものである。
【０００７】
【発明が解決しようとする課題】
両特許による手法では発熱線に通電するための端子を発熱線に接触させるための貫通穴を形成する必要があり、この貫通穴に端子を挿入し発熱線に通電して溶着工程が終了すると、貫通穴から端子を引き抜く必要がある。そのため、溶着後にその貫通穴が塞がれることなく残存することになる。
【０００８】
上記両特許では、貫通穴を発熱線の内側に設けているので、発熱線が介在している部分は溶着されるものの、貫通穴から侵入した水が発熱線の内側、すなわちケーシング内部に侵入するおそれがある。なお、貫通穴を発熱線の外側に設ければこのような不具合は解消されるが、単に貫通穴を発熱線の外側に設けたのでは、貫通穴を設けた部分がケーシングの外周面から突出し、デザインを損なうため採用することができない。
【０００９】
そこで本発明は、上記の問題点に鑑み、デザインを損なうことなく完全に水の侵入を防止することのできるケーシングの防水構造を提供することを課題とする。
【００１０】
【課題を解決するための手段】
上記課題を解決するために本発明によるケーシングの防水構造は、熱可塑性の樹脂からなるケーシング本体の周縁部に形成した環状の溝のほぼ対称となる２カ所に、電極が挿入される貫通穴を形成すると共に、両端部が各々この貫通穴に重なる１対の発熱線を溝内に配設し、熱可塑性の樹脂からなる蓋部材に形成した環状の凸部を上記ケーシング本体の溝内に嵌入させた状態で貫通穴に電極を挿入し、発熱線に通電して溝の底部と凸部の端部とを溶着させるケーシングの防水構造において、上記溝に貫通穴をケーシング本体の内側に迂回する迂回部と、この迂回部から貫通穴に連通する連通部とを形成し、発熱線を迂回部から連通部を通って貫通穴に到達するように配設したことを特徴とする。
【００１１】
迂回部は貫通穴をケーシング本体の内側に迂回するので、溝に発熱線を配設すると、貫通穴は発熱線の外側に位置することになる。そのため、ケーシング本体に蓋を溶着させた後、貫通穴に水等が侵入しても、発熱線に沿って溶着されている部分を越えて水等がケーシング内部に侵入することはない。また、迂回部はケーシング本体の内側に迂回するので、迂回部がケーシングの外周面に突出することが無く、ケーシングのデザインを損なわない。
【００１２】
なお、上記迂回部の一方の端部に連通部を設ければ、貫通穴に向かって延びる溝をそのまま溝まで到達させ、かつその到達する直前で迂回部を分岐することになる。そのため、迂回部を通らない発熱線は端部を曲げ加工することなく貫通穴に重ねることができる。
【００１３】
なお、浴室テレビのようにケーシングを壁面に取り付ける場合には、取り付け穴をケーシングに設けなければならないが、上記貫通穴に隣接して、ケーシングを壁に取り付けるための取り付け穴を形成すると共に、上記迂回部は貫通穴と共に取り付け穴を迂回するように構成すれば、取り付け穴に水等が侵入しても貫通穴の場合と同じく、ケーシングの防水性が保たれる。
【００１４】
本発明によるケーシングの防水構造は、例えば浴室の壁面に取り付けられる浴室テレビのケーシングに好適である。
【００１５】
【発明の実施の形態】
図１を参照して、１は浴室用のテレビであり、浴室の壁面ＢＷに固定されている。浴槽ＢＴ内の湯水やシャワーから噴出する湯水がテレビ１にかかり、また、高湿度のため水滴がテレビ１に付着する。そのため、テレビ１の内部に湯水や湿気が侵入しないように防水構造を採用する必要がある。
【００１６】
図２に示すように、テレビ１は、ケーシング本体２内に基板４を格納した状態で蓋体３をケーシング本体２に対して溶着している。なお、蓋体３には下面に凸部３１が環状に形成されており、その環状の凸部３１がケーシング本体２に形成された環状の溝２１に差し込まれるように形成されている。
【００１７】
蓋体３には各種スイッチ類３２が防水された状態で取り付けられている。また、３３はスピーカの取り付け部であり、防水構造のスピーカを取り付けることにより取り付け部３３からケーシング本体２内へと湯水が侵入することはない。なお、各種スイッチ類３２とスピーカとはフィルム状のケーブル４２を介して基板４に接続されている。４１は電源やアンテナ線がまとめられたケーブルである。
【００１８】
そして、蓋体３をケーシング本体２に対して溶着した後、ねじ止め穴にねじを差し込んで、ケーシング本体２と蓋体３とからなるケーシングを上記壁面ＢＷに固定する。なお、５はカバーであり、ケーシングを壁面ＢＷに固定した後、ケーシングに前方から嵌め付ける。
【００１９】
図３及び図４に示すように、ケーシング本体２の溝２１はケーシング本体２の外形に沿って環状に形成されている。ただし、取り付け穴２２に隣接して設けられた貫通穴７を迂回して、貫通穴７及び取り付け穴２２が溝２１の外側に位置させる迂回部２３が形成されている。そして、迂回部２３から貫通穴７に連なる連通部２４を形成した。なお、ケーシング本体２及び蓋体３は共に熱可塑性の樹脂で形成されており、２３ａは硬化時の収縮による「引け」の発生を防止するための肉抜きであり、ケーシング本体２の底部に対して貫通していない。
【００２０】
貫通穴７は図３に示す状態で左右略対称の位置に各々形成されている。そして、図３に示す門型の発熱線６１・６２を溝２１内に装着する。各発熱線６１・６２の中間部６１ａ・６２ａは図３に示すように直線状に成形されている。一方、溝２１の中間部６１ａ・６２ａに対応する部分は図示のように外側に向かって若干湾曲している。従って、両発熱線６１・６２を溝２１内に装着すると、中間部６１ａ・６２ａは図３の２点鎖線で示す状態に湾曲する。発熱線６１・６２は弾性を有しているので、２点鎖線に示す状態に湾曲すると直線状態に戻ろうとする付勢力が生じ、この付勢力により発熱線６１・６２は溝２１の内壁に強く接触し、溝２１から浮き上がらず外に脱落しない。
【００２１】
また、両発熱線６１・６２の両先端６１ｂ・６２ｂが各々貫通穴７に到達するように、各発熱線６１・６２の長さを設定している。なお、発熱線６１・６２の一端は迂回部２３の形状に合わせて屈曲されている。発熱線６２の場合、図４に示すように、屈曲部６２ｃが形成されており、その屈曲部６２ｃに先端６２ｂが形成されている。
【００２２】
両発熱線６１・６２の両先端６１ｂ・６２ｂが貫通穴７に到達しているので、図５に示すように、蓋体３の凸部３１を溝２１にはめ込んだ状態で貫通穴７に電極Ｔを挿入すると、電極Ｔは先端６１ｂ・６２ｂに接触する。両貫通穴７に各々電極Ｔを挿入し両発熱線６１・６２に通電すると、両発熱線６１・６２は発熱して溝２１の底部周辺及び凸部３１の先端を溶融する。その溶融した状態で蓋体３をケーシング本体２に押し付けると、図５に示す距離ｄだけ蓋体３が相対移動して溶融部分が密着する。その後通電を停止し冷却すれば溶融部分が固化し、溝２１と凸部３１とが相互に固着する。
【００２３】
上述のように、溝２１は環状に形成されているので、ケーシングの全周にわたって溶着される。また、貫通穴７はこの環状の溶着部の外側に位置するので、電極Ｔを貫通穴７から抜き去った後に、貫通穴７に湯水が侵入してもその湯水がケーシング内に侵入することはない。
【００２４】
ところで、上記実施の形態では発熱線を２本用いたが、図６に示すように、１本の発熱線６を用いてもよい。
【００２５】
【発明の効果】
以上の説明から明らかなように、本発明は、ケーシングを構成するケーシング本体と蓋体とを発熱線を用いて固着させる際、外周に不要な凸部を設けることなく、またケーシング本体の周壁を厚くすることなく、ケーシング内部への湯水等の侵入を完全に防止することができる。
【図面の簡単な説明】
【図１】本発明の一実施の形態の構成を示す図
【図２】ケーシングの分解斜視図
【図３】ケーシング本体の溝と発熱線の形状を示す図
【図４】迂回部近傍の詳細を示す部分拡大図
【図５】迂回部の溶着前の状態を示す断面図
【図６】発熱線の他の実施の形態を示す図
【図７】（ａ）従来の貫通穴の状態を示す図
（ｂ）従来の貫通穴の状態を示す図
【符号の説明】
１　浴室用のテレビ
２　ケーシング本体
２１　溝
２３　迂回部
３　蓋体
３１　凸部
４　基板
５　カバー
６　発熱線
６１　発熱線
６２　発熱線
７　貫通穴
【図１】
2004031751.tif 000003
【図２】
2004031751.tif 000004
【図３】
2004031751.tif 000005
【図４】
2004031751.tif 000006
【図５】
2004031751.tif 000007
【図６】
2004031751.tif 000008
【図７】
2004031751.tif 000009